(57)【要約】【課題】干渉抑圧技術の利用による周波数利用効率の劣化を低減すること。【解決手段】サイクリックプリフィックスを用いる第１のＯＦＤＭ信号とサイクリックプリフィックスを用いない第２のＯＦＤＭ信号とが送信される無線通信システムにおける第２のＯＦＤＭ信号の送信と受信との少なくともいずれかを行う通信装置は、第２のＯＦＤＭ信号を送信する場合に第１のＯＦＤＭ信号が受ける干渉の程度を特定することを可能とする情報を取得し、その情報に基づいて、第２のＯＦＤＭ信号を送信する際に、第１のＯＦＤＭ信号への干渉を抑制する制御を行うか否かを決定し、その決定の結果に基づいて、第２のＯＦＤＭ信号の送信または受信を行うための制御を行う。【選択図】図５
2018019364.tif 000002
【特許請求の範囲】
【請求項１】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号の送信と受信との少なくともいずれかを行う通信装置であって、
前記第２のＯＦＤＭ信号を送信する場合に前記第１のＯＦＤＭ信号が受ける干渉の程度を特定することを可能とする情報を取得する取得手段と、
前記情報に基づいて、前記第２のＯＦＤＭ信号を送信する際に、前記第１のＯＦＤＭ信号への干渉を抑制する制御を行うか否かを決定する決定手段と、
前記決定手段による決定の結果に基づいて、前記第２のＯＦＤＭ信号の送信または受信を行うための制御を行う制御手段と、
を有することを特徴とする通信装置。
【請求項２】
前記制御手段は、前記第２のＯＦＤＭ信号の受信のために、当該第２のＯＦＤＭ信号を送信する相手装置に対して前記決定手段による決定の結果を通知する、
ことを特徴とする請求項１に記載の通信装置。
【請求項３】
前記制御手段は、前記干渉を抑制する制御を行っている間に前記決定手段が当該干渉を抑制する制御を行わないと決定した場合、または前記干渉を抑制する制御を行っていない間に前記決定手段が当該干渉を抑制する制御を行うと決定した場合に、前記相手装置に対して前記決定手段による決定の結果を通知する、
ことを特徴とする請求項２に記載の通信装置。
【請求項４】
前記制御手段は、１つ以上の前記相手装置に対して個別に前記決定手段による決定の結果を通知する、
ことを特徴とする請求項２または３に記載の通信装置。
【請求項５】
前記制御手段は、１つ以上の前記相手装置に対して一斉に前記決定手段による決定の結果を通知する、
ことを特徴とする請求項２または３に記載の通信装置。
【請求項６】
前記情報は、前記第１のＯＦＤＭ信号についての、信号対干渉及び雑音電力比、参照信号受信電力、変調及び符号化方式、および割り当てリソースの、少なくともいずれかを含む、
ことを特徴とする請求項１から５のいずれか１項に記載の通信装置。
【請求項７】
前記取得手段は、前記第１のＯＦＤＭ信号の送信と受信との少なくともいずれかを行う他の装置から、前記情報を取得する、
ことを特徴とする請求項１から６のいずれか１項に記載の通信装置。
【請求項８】
前記通信装置は、端末装置と通信を行う基地局装置である、
ことを特徴とする請求項１から７のいずれか１項に記載の通信装置。
【請求項９】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号を送信する通信装置であって、
相手装置から、前記第２のＯＦＤＭ信号を送信する際に、前記第１のＯＦＤＭ信号への干渉を抑制する制御を行うか否かを示す情報を取得する取得手段と、
前記情報に応じて、前記干渉を抑制する制御を実行してまたは実行せずに前記第２のＯＦＤＭ信号を生成する生成手段と、
前記生成手段が生成した前記第２のＯＦＤＭ信号を前記相手装置へ送信する送信手段と、
を有することを特徴とする通信装置。
【請求項１０】
前記通信装置は、基地局装置と通信を行う端末装置である、
ことを特徴とする請求項９に記載の通信装置。
【請求項１１】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号の送信と受信との少なくともいずれかを行う通信装置の制御方法であって、
前記第２のＯＦＤＭ信号を送信する場合に前記第１のＯＦＤＭ信号が受ける干渉の程度を特定することを可能とする情報を取得する取得工程と、
前記情報に基づいて、前記第２のＯＦＤＭ信号を送信する際に、前記第１のＯＦＤＭ信号への干渉を抑制する制御を行うか否かを決定する決定工程と、
前記決定工程における決定の結果に基づいて、前記第２のＯＦＤＭ信号の送信または受信を行うための制御を行う制御工程と、
を有することを特徴とする制御方法。
【請求項１２】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号を送信する通信装置の制御方法であって、
相手装置から、前記第２のＯＦＤＭ信号を送信する際に、前記第１のＯＦＤＭ信号への干渉を抑制する制御を行うか否かを示す情報を取得する取得工程と、
前記情報に応じて、前記干渉を抑制する制御を実行してまたは実行せずに前記第２のＯＦＤＭ信号を生成する生成工程と、
前記生成工程において生成された前記第２のＯＦＤＭ信号を前記相手装置へ送信する送信工程と、
を有することを特徴とする制御方法。
【請求項１３】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号の送信と受信との少なくともいずれかを行う通信装置に備えられたコンピュータに、
前記第２のＯＦＤＭ信号を送信する場合に前記第１のＯＦＤＭ信号が受ける干渉の程度を特定することを可能とする情報を取得する取得工程と、
前記情報に基づいて、前記第２のＯＦＤＭ信号を送信する際に、前記第１のＯＦＤＭ信号への干渉を抑制する制御を行うか否かを決定する決定工程と、
前記決定工程における決定の結果に基づいて、前記第２のＯＦＤＭ信号の送信または受信を行うための制御を行う制御工程と、
を実行させるためのプログラム。
【請求項１４】
サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号を送信する通信装置に備えられたコンピュータに、
相手装置から、前記第２のＯＦＤＭ信号を送信する際に、前記第１のＯＦＤＭ信号への干渉を抑制する制御を行うか否かを示す情報を取得する取得工程と、
前記情報に応じて、前記干渉を抑制する制御を実行してまたは実行せずに前記第２のＯＦＤＭ信号を生成する生成工程と、
前記生成工程において生成された前記第２のＯＦＤＭ信号を前記相手装置へ送信する送信工程と、
を実行させるためのプログラム。
【発明の詳細な説明】
【技術分野】
【０００１】
本発明は無線通信システムにおける干渉制御技術に関する。
【背景技術】
【０００２】
現在、次世代の移動体無線通信方式として、サイクリックプリフィックスを用いない直交周波数分割多重（ＯＦＤＭ）信号を利用する通信方式が提案されている（非特許文献１）。一方、導入の開始時点においては、次世代の通信方式の信号が、サイクリックプリフィックスを用いるＯＦＤＭ信号を利用する現世代の通信方式の信号と、同一周波数帯域の異なる周波数チャネルで送信されることが想定される。また、次世代の通信方式の信号として、サイクリックプリフィックスを用いるＯＦＤＭ信号とサイクリックプリフィックスを用いないＯＦＤＭ信号とが同一周波数帯で共存することも想定されうる。
【０００３】
このような場合、受信装置においては、サイクリックプリフィックスを用いる第１のＯＦＤＭ信号とサイクリックプリフィックスを用いない第２のＯＦＤＭ信号とが、同時に受信されうる。ここで、受信装置は、第１のＯＦＤＭ信号の復調をするものとすると、第１のＯＦＤＭ信号からサイクリックプリフィックスを除去して離散フーリエ変換を施す受信処理を実行する。一方、受信装置は、第１のＯＦＤＭ信号と同時に第２のＯＦＤＭ信号をも受信しており、第１のＯＦＤＭ信号の受信処理と同時に、第２のＯＦＤＭ信号に対しても第１のＯＦＤＭ信号に対する受信処理を実行することとなる。このとき、第２のＯＦＤＭ信号から、第１のＯＦＤＭ信号のサイクリックプリフィックスの時間区間の成分を除去すると、サイクリックプリフィックス除去後の第２のＯＦＤＭ信号が直交性を失い、結果として第１のＯＦＤＭ信号に干渉してしまいうる。
【０００４】
このため、このような干渉を防ぐための技術が検討されている。非特許文献２では、第１のＯＦＤＭ信号のサイクリックプリフィックスを除去した場合に第２のＯＦＤＭ信号の直交性が崩れないようにするために、第２のＯＦＤＭ信号をサイクリックプリフィックスの半分に対応する時間分だけ遅延させる技術が提案されている。
【先行技術文献】
【非特許文献】
【０００５】
【非特許文献１】Ｔｈｏｒｓｔｅｎ．Ｗ等、「ユニバーサルフィルタード（ＵＦ−）ＯＦＤＭに基づく５Ｇエアインタフェースデザイン（５Ｇ  Ａｉｒ  Ｉｎｔｅｒｆａｃｅ  Ｄｅｓｉｇｎ  ｂａｓｅｄ  ｏｎ  Ｕｎｉｖｅｒｓａｌ  Ｆｉｌｔｅｒｅｄ  （ＵＦ−）ＯＦＤＭ）」、Ｉｎｔｅｒｎａｔｉｏｎａｌ  Ｃｏｎｆｅｒｅｎｃｅ  ｏｎ  Ｄｉｇｉｔａｌ  Ｓｉｇｎａｌ  Ｐｒｏｃｅｓｓｉｎｇ、２０１４年８月
【非特許文献２】Ａｈｍｅｄ．Ｒ等、「ＵＦ−ＯＦＤＭとＣＰ−ＯＦＤＭの共存（Ｃｏｅｘｉｓｔｅｎｃｅ  ｏｆ  ＵＦ−ＯＦＤＭ  ａｎｄ  ＣＰ−ＯＦＤＭ）」、ＩＥＥＥ  Ｖｅｈｉｃｕｌａｒ  Ｔｅｃｈｎｏｌｏｇｙ  Ｃｏｎｆｅｒｅｎｃｅ、２０１６年５月
【発明の概要】
【発明が解決しようとする課題】
【０００６】
上述のような第２のＯＦＤＭ信号から第１のＯＦＤＭ信号への干渉を防ぐ技術は、本質的に、第２のＯＦＤＭ信号の送信効率を犠牲にして、第１のＯＦＤＭ信号への干渉を防いでいる。例えば、非特許文献２に記載の技術では、第２のＯＦＤＭ信号を遅延させるため、１シンボル目においては、第１のＯＦＤＭ信号のサイクリックプリフィックスの半分に相当する期間だけ信号が送信されないこととなる。そして、このような無信号区間は、例えば特に時間長の短い第２のＯＦＤＭ信号が大量に送信される場合に顕著に周波数利用効率の劣化要因となりうる。
【０００７】
一方、第２のＯＦＤＭ信号と第１のＯＦＤＭ信号とが十分に離れた周波数帯で送信される場合など、第２のＯＦＤＭ信号が第１のＯＦＤＭ信号に干渉しない場合が想定される。このような場合にも、上述の第２のＯＦＤＭ信号から第１のＯＦＤＭ信号への干渉を防ぐ技術を適用すると、周波数利用効率の劣化のみを招くこととなってしまう。
【０００８】
本発明は、上記課題に鑑みなされたものであり、干渉抑圧技術の利用による周波数利用効率の劣化を低減することを目的とする。
【課題を解決するための手段】
【０００９】
上記目的を達成するため、本発明に係る通信装置は、サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号の送信と受信との少なくともいずれかを行う通信装置であって、前記第２のＯＦＤＭ信号を送信する場合に前記第１のＯＦＤＭ信号が受ける干渉の程度を特定することを可能とする情報を取得する取得手段と、前記情報に基づいて、前記第２のＯＦＤＭ信号を送信する際に、前記第１のＯＦＤＭ信号への干渉を抑制する制御を行うか否かを決定する決定手段と、前記決定手段による決定の結果に基づいて、前記第２のＯＦＤＭ信号の送信または受信を行うための制御を行う制御手段と、を有する。
【００１０】
また、上記目的を達成するため、本発明に係る別の通信装置は、サイクリックプリフィックスを用いる第１の直交周波数分割多重（ＯＦＤＭ）信号とサイクリックプリフィックスを用いない第２のＯＦＤＭ信号とが送信される無線通信システムにおける前記第２のＯＦＤＭ信号を送信する通信装置であって、相手装置から、前記第２のＯＦＤＭ信号を送信する際に、前記第１のＯＦＤＭ信号への干渉を抑制する制御を行うか否かを示す情報を取得する取得手段と、前記情報に応じて、前記干渉を抑制する制御を実行してまたは実行せずに前記第２のＯＦＤＭ信号を生成する生成手段と、前記生成手段が生成した前記第２のＯＦＤＭ信号を前記相手装置へ送信する送信手段と、を有する。
【発明の効果】
【００１１】
本発明によれば、干渉抑圧技術の利用による周波数利用効率の劣化を低減することができる。
【図面の簡単な説明】
【００１２】
【図１】無線通信システムの構成例を示す図。
【図２】通信装置のハードウェア構成例を示す図。
【図３】通信装置の機能構成例を示すブロック図。
【図４】相手装置の機能構成例を示すブロック図。
【図５】通信装置が実行する処理の流れの例を示す図。
【図６】相手装置が実行する処理の流れの例を示す図。
【発明を実施するための形態】
【００１３】
以下、本発明の実施の形態について、図面を参照しながら説明する。
【００１４】
（無線通信システムの構成）
図１は、本実施形態に係る無線通信システムの構成例を示す図である。図１の無線通信システムは、一例として、２つの送信装置と、２つの受信装置を含んでいる。なお、これは一例であり、送信装置及び受信装置は３つ以上又は１つのみ存在してもよい。図１において、第１の送信装置は、サイクリックプリフィックス（ＣＰ）を用いる第１の直交周波数分割多重（ＯＦＤＭ）信号を送信し、第２の送信装置は、ＣＰを用いない第２のＯＦＤＭ信号を送信するものとする。また、第１の受信装置は、第１のＯＦＤＭ信号の宛先の受信装置であり、第１のＯＦＤＭ信号と第２のＯＦＤＭ信号とを同時に受信するものとする。第２の受信装置は、第２のＯＦＤＭ信号の宛先の受信装置である。なお、送信装置及び受信装置は、例えば、一方が基地局装置であり、他方が移動体又は固定の端末装置でありうるが、両方が端末装置であってもよく、これらの例に限られない。
【００１５】
なお、ここでのＯＦＤＭ信号とは、互いに直交するキャリアを用いた信号全般を指し、ＤＦＴ−Ｓ−ＯＦＤＭ（ＤＦＴスプレッドＯＦＤＭ）等をも含む概念である。
【００１６】
第１のＯＦＤＭ信号と第２のＯＦＤＭ信号は、例えば、８００ＭＨｚ帯、２ＧＨｚ帯、３〜４ＧＨｚ帯等の周波数帯のうちの１つにおいて、周波数分割多重によって同時に送信されうる。受信装置は、同一周波数帯の信号を一括して受信処理する。例えば、第１の受信装置は、自身が第１のＯＦＤＭ信号を受信する装置であるため、第１のＯＦＤＭ信号に含まれる１つ以上のシンボルのそれぞれにおいて、ＣＰを除去して、ＣＰの除去後のシンボルに対して離散フーリエ変換（ＤＦＴ）を実行する。
【００１７】
このとき、第１の受信装置は、同一の周波数帯で、第２のＯＦＤＭ信号を同時に受信する場合がある。この場合、第２のＯＦＤＭ信号は、時間領域において第１のＯＦＤＭ信号と重畳して受信されるため、時間領域における処理であるＣＰ除去は、第２のＯＦＤＭ信号に対しても実行されることとなる。すなわち、第２のＯＦＤＭ信号は、第１のＯＦＤＭ信号のＣＰに対応する区間の信号成分が除去されて、ＤＦＴを施されることとなる。ここで、第２のＯＦＤＭ信号に対してそのような信号成分の除去を行うと、本来担保されていた直交性が崩れ、第２のＯＦＤＭ信号の周波数成分が隣接する周波数帯域に漏れ込み、周波数軸上で分離されていた第１のＯＦＤＭ信号に干渉してしまいうる。
【００１８】
ここで、例えば、非特許文献２のような技術を用いると、第２のＯＦＤＭ信号から第１のＯＦＤＭ信号への干渉を低減することができる。一方、このような干渉を抑制する制御は、上述のように、第２のＯＦＤＭ信号の効率を犠牲にするものであり、このような制御が不必要な場合を含めて定常的に実行されると、システム全体の効率まで劣化してしまいうる。例えば、第１の受信装置において、信号対干渉及び雑音電力比（ＳＩＮＲ）や参照信号受信電力（ＲＳＲＰ）が十分に高く、一定程度の干渉を受けても問題ない場合には、第２のＯＦＤＭ信号からの干渉が抑制されている必要はない。また、第１のＯＦＤＭ信号において用いられている変調及び符号化方式（ＭＣＳ）が、耐干渉性に優れたものである場合も同様に、第２のＯＦＤＭ信号からの干渉が抑制されている必要はない。さらに、第１のＯＦＤＭ信号の伝送のために割り当てられているリソース（周波数ブロック）が、第２のＯＦＤＭ信号の伝送のために割り当てられているリソースと十分に離れている場合は、第２のＯＦＤＭ信号からの干渉量はもともと小さいと考えられる。これらのような場合では、第２のＯＦＤＭ信号から第１のＯＦＤＭ信号への干渉を抑制する制御を実行しても、その効果は大きくなく、効率が劣化するという不利益のほうが大きくなってしまいうる。
【００１９】
このことから、本実施形態に係る第２の送信装置は、必要に応じて上述の第２のＯＦＤＭ信号から第１のＯＦＤＭ信号への干渉を抑制する制御を実行するようにし、このような制御を行う必要がない場合には、この制御を実行しないようにする。具体的には、第２の送信装置または第２の受信装置は、第２のＯＦＤＭ信号を送信した場合に第１のＯＦＤＭ信号が受ける干渉の程度を特定するための情報を取得し、その情報に基づいて、干渉を抑制する制御を実行するか否かを決定する。
【００２０】
第２のＯＦＤＭ信号を送信した場合に第１のＯＦＤＭ信号が受ける干渉の程度を特定するための情報は、例えば第１のＯＦＤＭ信号についての、ＳＩＮＲ、ＲＳＲＰ、割り当てられたＭＣＳ、および割り当てられたリソースの少なくともいずれかを含みうる。なお、取得される情報は、第２のＯＦＤＭ信号と同時に送信される第１のＯＦＤＭ信号に関する情報であるが、第２のＯＦＤＭ信号が所定の電力で受信されうる所定の領域内の通信装置における情報の全部または一部が収集されてもよい。
【００２１】
第１のＯＦＤＭ信号のＳＩＮＲまたはＲＳＲＰは、第２の送信装置が例えば基地局装置である場合は、第１のＯＦＤＭ信号を受信する端末装置におけるＳＩＮＲまたはＲＳＲＰ、すなわち下りリンクのＳＩＮＲまたはＲＳＲＰでありうる。同様に、第１のＯＦＤＭ信号のＳＩＮＲまたはＲＳＲＰは、第２の送信装置が例えば端末装置である場合は、第１のＯＦＤＭ信号を受信する基地局装置におけるＳＩＮＲまたはＲＳＲＰ、すなわち上りリンクのＳＩＮＲまたはＲＳＲＰでありうる。ただし、必ずしもこれらに限られない。例えば時分割複信（ＴＤＤ）が用いられる場合等、下りリンクの信号が上りリンクの信号に干渉を与えうる場合は、第２の送信装置が基地局装置であっても、上りリンクの第１のＯＦＤＭ信号に関するＳＩＮＲ又はＲＳＲＰの情報が取得されうる。また、第２の送信装置又は第２の受信装置は、上りリンクと下りリンクの両方に関するＳＩＮＲまたはＲＳＲＰの情報を取得してもよい。
【００２２】
また、割り当てられたＭＣＳ及び割り当てられたリソースの情報についても、第２のＯＦＤＭ信号が第１のＯＦＤＭ信号に対して干渉を与えうる場合の、第１の受信装置へ宛てられた第１のＯＦＤＭ信号に関する情報でありうる。すなわち、例えば第２の送信装置が基地局装置である（下りリンクにおいて干渉を与えうる）場合、第１のＯＦＤＭ信号の基地局装置から端末装置へ宛てられた信号に関して割り当てられたＭＣＳ又はリソースの情報が収集されうる。同様に、第２の送信装置が端末装置である（上りリンクにおいて干渉を与えうる）場合、第１のＯＦＤＭ信号の端末装置から基地局装置へ宛てられた信号に関して割り当てられたＭＣＳ又はリソースの情報が収集されうる。なお、第２の送信装置及び第２の受信装置は、上りリンク及び下りリンクの両方についてのＭＣＳ及びリソースの情報を取得してもよい。
【００２３】
なお、第２のＯＦＤＭ信号を送信した場合に第１のＯＦＤＭ信号が受ける干渉の程度を特定するための情報は、第１の送信装置又は第１の受信装置から収集されうる。例えば、第２のＯＦＤＭ信号に係る基地局装置が、第１のＯＦＤＭ信号に係る基地局装置から、バックボーン回線を経由して情報を取得しうる。また、第２のＯＦＤＭ信号に係る基地局装置は、第１のＯＦＤＭ信号に係る端末装置から送信された無線信号を監視することにより、情報を受信しうる。
【００２４】
なお、第２の送信装置が第２のＯＦＤＭ信号による第１のＯＦＤＭ信号への干渉抑制制御を実行するか否かを決定した場合は、第２の送信装置は、その自身による決定の結果に従って第２のＯＦＤＭ信号を制御することができる。一方、第２の受信装置が第２のＯＦＤＭ信号による第１のＯＦＤＭ信号への干渉抑制制御を実行するか否かを決定した場合は、第２の受信装置は、その決定の結果を第２の送信装置へ通知して、第２の送信装置は、その通知に従って第２のＯＦＤＭ信号を制御する。例えば、セルラ通信システムにおいては、基地局装置及び端末装置は、共に送信装置かつ受信装置でありうるところ、一般に何らかの制御を実行するか否かの決定を行うのは基地局装置である。このため、基地局装置は、第２のＯＦＤＭ信号が第１のＯＦＤＭ信号に対して下りリンクで干渉しうる場合には、第２のＯＦＤＭ信号の干渉抑制制御を実行するか否かを決定して、その決定結果に従って自身が送信する第２のＯＦＤＭ信号を制御する。一方、基地局装置は、第２のＯＦＤＭ信号が第１のＯＦＤＭ信号に対して上りリンクで干渉しうる場合には、第２のＯＦＤＭ信号の干渉抑制制御を実行するか否かを決定して、その決定結果を、その第２のＯＦＤＭ信号を送信する端末装置に対して通知する。ここで、決定結果は、例えばＲＲＣ（無線リソース制御）シグナリング等によって、基地局装置が通信する１つ以上の端末装置のそれぞれに対して個別に通知されうる。また、決定結果は、例えばＳＩＢ（システムインフォメーションブロック）等のブロードキャスト信号によって、基地局装置が通信する１つ以上の端末装置に対して一斉に通知されてもよい。
【００２５】
以上のようにすることで、第２の送信装置又は第２の受信装置が、第１のＯＦＤＭ信号に与えうる干渉を事前に評価して、第２の送信装置は、必要に応じて第２のＯＦＤＭ信号における干渉抑制制御を行うこととなる。このため、必要のない場合には、干渉抑制制御が行われなくなるため、干渉抑制制御の利用による周波数利用効率の劣化を低減することができるようになる。以下では、このような第２の送信装置又は第２の受信装置の機能を有する通信装置の構成と処理の流れについて詳細に説明する。
【００２６】
（ハードウェア構成）
図２に、上述の第２の送信装置又は第２の受信装置の機能を有する通信装置のハードウェア構成例を示す。通信装置は、一例において、図２に示すようなハードウェア構成を有し、例えば、ＣＰＵ２０１、ＲＯＭ２０２、ＲＡＭ２０３、外部記憶装置２０４、及び通信回路２０５を有する。なお、以下では通信装置のハードウェア構成の例について説明するが、通信の相手装置も同様のハードウェア構成を有しうる。通信装置では、例えばＲＯＭ２０２、ＲＡＭ２０３及び外部記憶装置２０４のいずれかに記録された、上述のような第２の送信装置又は第２の受信装置の各機能を実現するプログラムがＣＰＵ２０１により実行される。ここで、ＣＰＵ２０１はプロセッサの例であり、ＡＳＩＣ（特定用途向け集積回路）等の他のプロセッサによって置き換えられてもよいし、ＦＰＧＡ（フィールドプログラマブルゲートアレイ）等の再構成可能なプロセッサによって置き換えられてもよい。
【００２７】
そして、通信装置は、例えばＣＰＵ２０１により通信回路２０５を制御して、他の装置と通信を行う。なお、通信回路２０５は、少なくともＣＰを用いないＯＦＤＭ信号を送信と受信とのいずれかを行うことができるほか、場合によってはＣＰを用いるＯＦＤＭ信号や、他の無線通信方式の信号の送信と受信との少なくともいずれかを行うように構成されてもよい。また、通信回路２０５は、１つの周波数帯のみならず、複数の周波数帯において信号を送受信できてもよく、例えばセルラの通信方式と無線ＬＡＮの通信方式との両者を利用可能であってもよい。さらに、通信回路２０５は、有線通信を行うことができるように構成されてもよい。なお、図２の構成において、通信装置は、１つの通信回路２０５を有するような概略図を示しているが、これに限られない。例えば、通信装置は、セルラ通信用の第１の通信回路と無線ＬＡＮ通信用の第２の通信回路とを有しうる。また、通信装置は、例えば自身が基地局装置である場合、端末装置との間の無線通信のための通信回路に加えて、他の基地局装置と通信するための有線通信又は無線通信を行う通信回路を有しうる。
【００２８】
なお、通信装置は、各機能を実行する専用のハードウェアを備えてもよいし、一部をハードウェアで実行し、プログラムを動作させるコンピュータでその他の部分を実行してもよい。また、通信装置の全機能がコンピュータとプログラムにより実行されてもよい。
【００２９】
（機能構成）
図３は、本実施形態に係る通信装置の機能構成例を示す図である。通信装置は、一例において、送信部３０１、受信部３０２、情報取得部３０３、決定部３０４、信号生成部３０５、及び決定結果通知部３０６を有する。なお、通信装置は、例えば通信装置を含む情報処理機器が有する様々な機能等の不図示の機能を有してもよく、少なくとも、セルラ通信システムにおける基地局装置または端末装置のいずれかの機能を有するものとする。
【００３０】
送信部３０１は、通信装置が第２の送信装置である場合、後述の信号生成部３０５が生成した上述の第２のＯＦＤＭ信号を送信する。また、送信部３０１は、通信装置が第２の受信装置である場合、後述の決定結果通知部３０６を通じて、後述の決定部３０４による決定の結果を端末装置に通知する。さらに、送信部３０１は、例えば有線接続された他の装置へ、通信装置が取得した情報や制御用の信号等を送信しうる。送信部３０１は、例えば、アンテナとそのアンテナを介して無線信号を出力するために用いられる回路、及び必要に応じて有線通信用の回路等を含んで構成される。
【００３１】
受信部３０２は、通信装置が第２の受信装置である場合、相手装置が送信した第２のＯＦＤＭ信号を受信する。また、受信部３０２は、他の装置が送信した無線信号又は有線信号を受信することができる。受信部３０２は、例えば、アンテナと、そのアンテナを介して受信した無線信号を処理してデータを取り出すための回路、及び必要に応じて有線通信用の回路等を含んで構成される。なお、送信部３０１と受信部３０２は、１つ以上のアンテナと回路とを共有しうる。
【００３２】
情報取得部３０３は、例えば受信部３０２を介して、第２のＯＦＤＭ信号を送信した場合に第１のＯＦＤＭ信号が受ける干渉の程度を特定するための情報を取得する。この情報は、例えば、上述のように、第１のＯＦＤＭ信号についてのＳＩＮＲ、ＲＳＲＰ、割り当てられるＭＣＳ、又は割り当てられるリソースの、少なくともいずれかの情報を含む。取得された情報は、決定部３０４へ入力される。
【００３３】
決定部３０４は、情報取得部３０３から入力された情報に基づいて、第１のＯＦＤＭ信号への第２のＯＦＤＭによる干渉を抑制する制御を実行するか否かを決定する。
【００３４】
例えば、第１のＯＦＤＭ信号のＳＩＮＲやＲＳＲＰが十分に高く、第２のＯＦＤＭ信号からの干渉を受けても第１のＯＦＤＭ信号への影響が少ないと考えられる。このため、決定部３０４は、例えば第１のＯＦＤＭ信号のＳＩＮＲ又はＲＳＲＰがそれぞれ対応する所定値以上である場合には、第２のＯＦＤＭによる干渉を抑制する制御を実行しないと決定する。一方、決定部３０４は、例えば第１のＯＦＤＭ信号のＳＩＮＲ又はＲＳＲＰがそれぞれ対応する所定値未満である場合には、第２のＯＦＤＭによる干渉を抑制する制御を実行することを決定する。
【００３５】
また、第１のＯＦＤＭ信号に耐干渉性が高いＭＣＳが割り当てられている場合は、第２のＯＦＤＭ信号からの干渉を受けても第１のＯＦＤＭ信号のデータの抽出に対する影響は低く抑えることができる。また、例えば、割り当てられるＭＣＳにおいて復調／復号に要求されるＳＩＮＲと比べて情報取得部３０３から取得されたＳＩＮＲが十分に大きい場合には、第１のＯＦＤＭ信号は、第２のＯＦＤＭ信号からの干渉を受けても誤りなく復調／復号することができる。このため、決定部３０４は、例えば、耐干渉性の高いＭＣＳが割り当てられている場合や、実際のＳＩＮＲとＭＣＳによって要求されるＳＩＮＲとの差（マージン）が所定値以上である場合には、第２のＯＦＤＭによる干渉を抑制する制御を実行しないと決定する。一方、決定部３０４は、耐干渉性の低いＭＣＳが割り当てられている場合や、上述のマージンが所定値未満である場合には、第２のＯＦＤＭによる干渉を抑制する制御を実行すると決定する。
【００３６】
さらに、第１のＯＦＤＭ信号に割り当てられたリソース（周波数ブロック）が、第２のＯＦＤＭ信号に割り当てられるリソースと十分離れている場合は、第２のＯＦＤＭ信号からの第１のＯＦＤＭ信号への干渉は十分に小さくなると考えられる。このため、決定部３０４は、例えば第１のＯＦＤＭ信号に割り当てられたリソースと第２のＯＦＤＭ信号に割り当てられるリソースとの周波数領域での距離が所定値以上である場合には、第２のＯＦＤＭによる干渉を抑制する制御を実行しないと決定する。また、決定部３０４は、例えば第１のＯＦＤＭ信号に割り当てられたリソースと第２のＯＦＤＭ信号に割り当てられるリソースとの周波数領域での距離が所定値未満である場合には、第２のＯＦＤＭによる干渉を抑制する制御を実行すると決定する。なお、決定部３０４は、第１のＯＦＤＭ信号に割り当てられたリソースと第２のＯＦＤＭ信号に割り当てられるリソースとの周波数領域での距離に応じて、第２のＯＦＤＭ信号による第１のＯＦＤＭ信号への干渉量を評価してもよい。この場合、決定部３０４は、評価結果の干渉量が第１のＯＦＤＭ信号の許容量以下の場合に、第２のＯＦＤＭによる干渉を抑制する制御を実行せず、評価結果の干渉量が許容量以上の場合に、第２のＯＦＤＭによる干渉を抑制する制御を実行すると決定する。
【００３７】
決定部３０４による決定の結果は、信号生成部３０５又は決定結果通知部３０６へ入力される。具体的には、通信装置が第２の送信装置である場合は、決定の結果は信号生成部３０５へ入力され、通信装置が第２の受信装置である場合は、決定の結果は決定結果通知部３０６へ入力される。なお、通信装置が第２の送信装置かつ第２の受信装置である場合は、決定部３０４による決定の結果は、信号生成部３０５と決定結果通知部３０６との両方へ入力される。
【００３８】
信号生成部３０５は、第２のＯＦＤＭによる干渉を抑制する制御を実行すると決定されていた場合は、干渉抑制制御を実行して第２のＯＦＤＭ信号を生成して、送信部３０１を介して相手装置（第２の受信装置）へ送信する。一方、信号生成部３０５は、第２のＯＦＤＭによる干渉を抑制する制御を実行しないと決定されていた場合は、干渉抑制制御を実行せずに第２のＯＦＤＭ信号を生成して、送信部３０１を介して相手装置（第２の受信装置）へ送信する。
【００３９】
決定結果通知部３０６は、決定部３０４による決定の結果を、送信部３０１を介して相手装置（第２の送信装置）へ通知する。このとき、決定結果通知部３０６は、決定部３０４の決定の結果が変化した場合、すなわち、干渉抑制制御を実行する状態から実行しない状態へと変化した場合又はその逆の場合にのみ、相手装置への情報の通知を行ってもよい。また、決定結果通知部３０６は、複数の第２の送信装置に対して、例えばＲＲＣシグナリング等を用いて個別に、又は、ＳＩＢ等のブロードキャスト信号を用いて一斉に、情報を通知しうる。個別に通知を行うことによって、複数の第２の送信装置のそれぞれに別個の制御を実行させることができるため、複数の第２の送信装置のそれぞれの状況が大きく異なる場合などに特に有効でありうる。一方、ブロードキャストで通知を行うことにより、複数の第２の送信装置に同じ制御を実行させることができるため、複数の第２の送信装置の状況が同様である場合などに特に有効でありうる。
【００４０】
なお、決定結果通知部３０６によって、決定部３０４による決定の結果が通知された相手装置、すなわち、第２の送信装置の構成例を、図４に示す。相手装置は、送信部４０１、受信部４０２、決定結果取得部４０３、及び信号生成部４０４を有する。送信部４０１は無線によって第２のＯＦＤＭ信号を送信することができ、受信部４０２は無線によって信号を受信することができる。送信部４０１及び受信部４０２は、例えば共通の又は別個の無線通信回路とアンテナを有する。決定結果取得部４０３は、通信装置から送信された決定部３０４による決定の結果を取得する。そして、信号生成部４０４は、上述の信号生成部３０５と同様に、決定部３０４による決定の結果に応じて、干渉抑制制御を実行し又は実行せずに、第２のＯＦＤＭ信号を生成する。信号生成部４０４で生成された第２のＯＦＤＭ信号は、送信部４０１を介して、通信装置に宛てて送信される。
【００４１】
（処理の流れ）
次に、通信装置、及び、通信装置が第２の受信装置である場合の相手装置が実行する処理の流れについて、図５及び図６を用いて説明する。
【００４２】
まず、通信装置は、例えば第１のＯＦＤＭ信号を送信または受信する他の装置から情報を受信することによって、第２のＯＦＤＭ信号を送信した場合に第１のＯＦＤＭ信号が受ける干渉の程度を特定するための情報を取得する（Ｓ５０１）。そして、通信装置は、その情報に基づいて、第２のＯＦＤＭ信号から第１のＯＦＤＭ信号への干渉を抑制する制御を実行すべきか否かを判定する（Ｓ５０２）。その後、通信装置は、自身が第２の送信装置である場合は、Ｓ５０２の判定の結果に応じて干渉抑制制御を実行し又は実行せずに、第２のＯＦＤＭ信号を生成して、その生成した信号を第２の受信装置へ送信する（Ｓ５０３）。また、通信装置は、自身が第２の受信装置である場合は、Ｓ５０２の判定の結果を、第２の送信装置に対して通知する（Ｓ５０４）。なお、通信装置は、図５の処理を繰り返し実行する。すなわち、第１のＯＦＤＭ信号の送信装置又は受信装置の状態を継続的に監視し、干渉抑制制御を実行するかを継続的に決定し、最新の決定結果に基づいて信号の生成及び送信、決定結果の通知を行う。
【００４３】
通信装置が第２の受信装置である場合の相手装置（第２の送信装置）は、Ｓ５０４で通信装置が送信した通知を受信する（Ｓ６０１）と、その通知に基づいて、Ｓ５０３と同様にして第２のＯＦＤＭ信号を生成して送信する（Ｓ６０２）。なお、通信装置が第２の受信装置である場合の相手装置（第２の送信装置）は、図６の処理を繰り返し実行する。
【００４４】
以上により、不要な干渉抑制制御が実行されることを防ぎ、結果として、干渉抑圧技術の利用による周波数利用効率の劣化を低減することができる。
【図１】
2018019364.tif 000003
【図２】
2018019364.tif 000004
【図３】
2018019364.tif 000005
【図４】
2018019364.tif 000006
【図５】
2018019364.tif 000007
【図６】
2018019364.tif 000008